(57)【要約】【課題】  周囲温度が低下して所望の輝度で有機ＥＬ素子を発光させることができる電圧が、駆動回路が定電流を出力することができる電圧よりも低くなるような場合であっても、パネルの表示品質を低下させないようにする。【解決手段】  陰極ドライバは、第ｉ（ｉ：自然数）行目の選択期間の開始を示すｉ番目のＬＰが入力されると、第ｉ行および第（ｉ＋１）行を選択する。陽極ドライバ１２は、第ｉ行目に表示させるべきデータ、すなわち、２つの行のうち、本来空間的に上に位置する行に表示させるべきデータにもとづいて各定電流回路を駆動する。【選択図】  図２
2007094009.tif 000002
【特許請求の範囲】
【請求項１】
複数の陰極配線と複数の陽極配線とが交差するように配置され陰極配線と陽極配線との間に有機ＥＬ素子が挟持された有機ＥＬパネルと、前記複数の陰極配線を駆動する陰極ドライバと、前記複数の陽極配線に接続される定電流回路を含む陽極ドライバとを備えた有機ＥＬ表示装置の駆動回路において、
前記陰極ドライバは、１つの選択期間で、２つの陰極配線に選択電圧を印加する２行同時選択手段を含む
ことを特徴とする有機ＥＬ表示装置の駆動回路。
【請求項２】
２行同時選択手段は、
それぞれの選択期間で、隣接している２つの陰極配線に選択電圧を印加し、
その次の選択期間で、直前の選択期間で選択電圧が印加された２つの陰極配線のうちの一方を含む２つの陰極配線に選択電圧を印加し、
陽極ドライバは、
２つの陰極配線に選択電圧が印加されているときに、２つの陰極配線のうちのいずれかの陰極配線に対応する行に表示させるデータにもとづいて各陽極配線を駆動する
請求項１記載の有機ＥＬ表示装置の駆動回路。
【請求項３】
陰極ドライバおよび陽極ドライバがワンチップの集積回路に搭載されている
請求項１または請求項２記載の有機ＥＬ表示装置の駆動回路。
【請求項４】
有機ＥＬ素子の周囲温度を検出する温度検出手段と、
前記温度検出手段の検出出力にもとづいて、陰極ドライバに、２つの陰極配線に選択電圧を印加するか線順次に陰極配線に選択電圧を印加するかを示す信号を作成して陰極ドライバに出力する切替手段とを備えた
請求項１、２または３記載の有機ＥＬ表示装置の駆動回路。
【発明の詳細な説明】
【技術分野】
【０００１】
本発明は、有機ＥＬ素子を用いた有機ＥＬ表示装置を駆動する駆動回路に関する。
【背景技術】
【０００２】
有機ＥＬ（エレクトロルミネッセンス)表示装置は、対向して設けられた陽極と陰極との間に配置された有機ＥＬ層に電流が供給されると自発光する電流駆動型の表示装置である。有機ＥＬ表示装置は、マトリクス電極の各画素部に有機ＥＬ素子がそれぞれ配置された構造の有機ＥＬパネルを含む。有機ＥＬ表示装置は、半導体発光ダイオードに似た特性を有しているので有機ＬＥＤと呼ばれることもある。
【０００３】
有機ＥＬパネルは、ガラス基板上に陽極に接続されるかまたは陽極そのものを形成する複数の陽極配線が平行して配置され、陽極配線と直交する方向に、陰極に接続されるかまたは陰極そのものを形成する複数の陰極配線が平行して配置され、両電極間に有機ＥＬ層が挟持された構造を有する。陽極配線と陰極配線とがマトリクス状に配置された有機ＥＬパネルにおいて、陽極配線と陰極配線との交点が画素となる。すなわち、画素がマトリクス状に配置されている。一般に、陰極配線は金属で形成され、陽極配線はＩＴＯ（インジウム・錫・酸化物）などの透明導電膜で形成される。
【０００４】
陽極側を高電圧側とし、所定の電圧を両電極間に印加して有機ＥＬ素子に電流を供給すると有機ＥＬ素子は発光する。具体的には、陽極側の電位と陰極側の電位との差が発光開始電圧以上になると、有機ＥＬ素子に電流が流れ始める。逆に、陰極側を高電位にした場合には電流がほとんど流れず発光しない。
【０００５】
有機ＥＬパネルを単純マトリクス駆動法で駆動することができる。駆動を行う際に、有機ＥＬパネルの陽極および陰極を、走査電極またはデータ電極のいずれにも設定できる。つまり、陽極を走査電極とし、陰極をデータ電極とするか、または陽極をデータ電極、陰極を走査電極として使用できる。以下、陰極を走査電極とし、陽極をデータ電極とする場合を例にする。
【０００６】
有機ＥＬパネルを単純マトリクス駆動法で駆動する場合に、定電圧回路が備えられた陽極ドライバを陽極配線に接続し、陽極配線に対して定電圧性の駆動を行う。そして、陰極配線のうちの１本を選択電圧が印加されている選択状態、残りを選択電圧が印加されていない非選択状態として、陰極配線を順次走査する。一般的に、陰極配線の一方の端から他方の端に対して選択期間毎に１つの陰極配線に対して順次に選択電圧を印加する走査を行い、一定の期間の間にすべての陰極配線を走査し、所定の駆動電圧を画素に印加する。
【０００７】
また、定電流回路（定電流源）が備えられた陽極ドライバに、陽極配線を接続する。選択した陽極配線の表示パターンに対応する表示データを、走査に同期してすべての陽極配線に供給する。定電流回路から陽極配線に供給された電流パルスは、選択した陰極配線と陽極配線との交点に位置する有機ＥＬ素子を通して、選択されている陰極配線に流れる。
【０００８】
有機ＥＬ素子による画素は、その画素が接続された陰極配線が選択されていて、かつ陽極配線から電流が供給されている期間だけ発光する。陽極配線から電流の供給が止まると発光も停止する。このようにして、陽極配線と陰極配線との間に挟持された有機ＥＬ素子に対して電流を供給し、すべての陰極配線の走査を順次繰り返す。そして、所望の表示パターンに応じて表示画面全体の画素の発光・非発光を制御する。
【０００９】
陰極ドライバは、選択した陰極配線の電位を、選択していない陰極配線の電位よりも低く設定する。選択した陰極配線の電位を選択電圧ＶＣＯＭＬ、選択していない陰極配線の電位を非選択電圧ＶＣＯＭＨとする。選択電圧ＶＣＯＭＬとして接地電位（グラウンド電位）が用いられることが多い。陽極ドライバは、選択行において発光させるべき画素がない陽極配線を所定の電位（以下、ＶＣＬとする。）に設定する。ここで、電位ＶＣＬと選択電圧ＶＣＯＭＬとの差（ＶＣＬ−ＶＣＯＭＬ）が発光開始電圧より小さくなるように電位ＶＣＬを定める。電位ＶＣＬは接地電位とされることが多い。また、陽極ドライバは、選択行において発光させるべき画素が存在する陽極配線の電位も設定し、その陽極配線から選択された陰極配線に電流を流す。この陽極配線の電位は、定電流を流すように設定される。ただし、陽極配線の電位を、定電流回路の出力電圧Ｖｉｎよりも高くすることはできない。なお、陰極配線に対して平行に配列した方向の画素の並びを「行」といい、陽極配線に対して平行に配列した画素の並びを「列」という。
【００１０】
有機ＥＬ素子は、低温になるほど有機ＥＬ素子に所定の電流を流すために必要な電圧が上昇する温度特性を有する。そこで、温度検出素子によって有機ＥＬ素子の周囲温度を測定し、低温下では陽極ドライバの電源電圧Ｖｉｎを上げることによって、周囲温度が変化しても発光輝度を均一に保つ方法が知られている（例えば、特許文献１参照。）。
【００１１】
【特許文献１】特開２００３−１５０１１３号公報（段落０００９,００２３、図１図３）
【発明の開示】
【発明が解決しようとする課題】
【００１２】
図６の電圧−電流密度の特性図に示すように、周囲温度が低下すると、有機ＥＬ素子に所定の電流を流すために必要な電圧が高くなる。例えば、所望の輝度（規定されている輝度）で発光させるために有機ＥＬ素子の各画素に流さなければならない電流密度が７５０ｍＡ／ｃｍ２であるとすると、＋２５℃では１０Ｖ程度の電圧が有機ＥＬ素子に印加されればよいのに対して、−４０℃では１５Ｖ程度の電圧が有機ＥＬ素子に印加される必要がある。
【００１３】
選択電圧ＶＣＯＭＬは０Ｖであるとし、発光素子として有機ＥＬ素子を用いる有機ＥＬ表示装置（以下、パネルという。）内での配線抵抗等による電圧降下が４Ｖであるとすると、＋２５℃では、陽極配線に１０＋４＝１４Ｖを印加すればよい。しかし、−４０℃では、有機ＥＬ素子を所望の輝度で発光させるために陽極配線に１５＋４＝１９Ｖを印加する必要がある。
【００１４】
一般に、陽極ドライバに印加可能な電源電圧には制限がある。例えば、陽極ドライバに印加可能な電源電圧が１８Ｖとし、電源電圧が１８Ｖであるときに陽極ドライバが定電流を出力することができる電圧を１６Ｖ（最大値）であるとする。すなわち、定電流駆動をしつつ陽極配線に印加可能な電圧を１６Ｖとする。すると、＋２５℃では、所望の輝度で有機ＥＬ素子を発光させることができる。パネルに１０＋４＝１４Ｖを印加すればよく、その電圧は、陽極ドライバが定電流を出力することができる電圧である１６Ｖよりも低いからである。
【００１５】
しかし、−４０℃では、有機ＥＬ素子を所望の輝度で発光させるためにパネルに１５＋４＝１９Ｖを印加する必要があるのに対して、その電圧は、陽極ドライバが定電流を出力することができる電圧である１６Ｖよりも高くなる。しかし、この例では、陽極ドライバが定電流を出力することができる電圧を１６Ｖよりも高くすることはできない。
【００１６】
つまり、−４０℃では、有機ＥＬ素子が所望の輝度で発光するための電圧を印加することができない。よって、有機ＥＬ素子の発光輝度が低下し、横帯状の輝度のむら（横クロストーク）が発生する。横クロストークが発生するので、表示品質が低下する。
【００１７】
温度検出素子によって有機ＥＬ素子の周囲温度を測定し、低温下では電源電圧Ｖｉｎを上げる方法を採用しても、上述したように、陽極ドライバに印加可能な電源電圧には制限がある。換言すれば、陽極電極に印加可能な電圧には制限がある。その結果、甚だしい低温下での表示品質の低下を防止することができない。
【００１８】
そこで、本発明は、有機ＥＬ素子の周囲温度が低下して所望の輝度で有機ＥＬ素子を発光させることができる電圧が、駆動回路が定電流を出力することができる電圧よりも低くなるような場合であっても、パネルの表示品質を低下させないようにすることができる有機ＥＬ駆動装置の駆動回路を提供することを目的とする。
【課題を解決するための手段】
【００１９】
本発明による有機ＥＬ駆動装置の駆動回路は、複数の陰極配線と複数の陽極配線とが交差するように配置され陰極配線と陽極配線との間に有機ＥＬ素子が挟持された有機ＥＬパネルと、複数の陰極配線を駆動する陰極ドライバと、複数の陽極配線に接続される定電流回路を含む陽極ドライバとを備えた有機ＥＬ表示装置の駆動回路であって、陰極ドライバが、１つの選択期間で、２つの陰極配線に選択電圧を印加する２行同時選択手段（例えば、シフトレジスタ）を含むことを特徴とする。
【００２０】
２行同時選択手段が、それぞれの選択期間で、隣接している２つの陰極配線に選択電圧を印加し、その次の選択期間で、直前の選択期間で選択電圧が印加された２つの陰極配線のうちの一方を含む２つの陰極配線に選択電圧を印加し、陽極ドライバが、２つの陰極配線に選択電圧が印加されているときに、２つの陰極配線のうちのいずれかの陰極配線に対応する行に表示させるデータにもとづいて各陽極配線を駆動することが好ましい。一例として、２行同時選択手段が、それぞれの選択期間で、隣接している２つの陰極配線に選択電圧を印加し、その次の選択期間で、直前の選択期間で選択電圧が印加された２つの陰極配線のうち空間的に下に位置する陰極配線を含む２つの陰極配線に選択電圧を印加し、陽極ドライバが、２つの陰極配線に選択電圧が印加されているときに、２つの陰極配線のうち空間的に上に位置する陰極配線に対応する行に表示させるデータにもとづいて各陽極配線を駆動する。
【００２１】
陰極ドライバおよび陽極ドライバがワンチップの集積回路に搭載されていることが好ましい。
【００２２】
駆動回路は、有機ＥＬ素子の周囲温度を検出する温度検出手段（例えば、温度センサ）と、温度検出手段の検出出力にもとづいて、陰極ドライバに、２つの陰極配線に選択電圧を印加するか線順次に陰極配線に選択電圧を印加するかを示す信号を作成して陰極ドライバに出力する切替手段（例えば、コントローラ）とを備えていてもよい。また、陰極ドライバおよび陽極ドライバがワンチップの集積回路に搭載されている場合には、その集積回路に切替手段も搭載されていることが好ましい。
【発明の効果】
【００２３】
本発明によれば、有機ＥＬ素子が所望の輝度で発光する電圧を下げるとともに、有機ＥＬパネル内での電圧降下を低減できるので、有機ＥＬ素子の周囲温度が低下して所望の輝度で有機ＥＬ素子を発光させることができる電圧が、駆動回路が定電流を出力することができる電圧よりも低くなるような場合であっても、パネルの表示品質を低下させないようにすることができる。
【発明を実施するための最良の形態】
【００２４】
以下、本発明の実施の形態を図面を参照して説明する。
図１は、有機ＥＬ表示装置の駆動回路の構成を、駆動回路の外に存在するＭＰＵ（Micro Processing Unit）４０および有機ＥＬパネル１０とともに示すブロック図である。ＭＰＵ４０は、駆動回路に対して表示データを出力する。表示データは、コントローラ１３に内蔵されているメモリに格納される。
【００２５】
陽極ドライバ１２は、各陽極配線に１対１に対応する複数の定電流回路を内蔵している。
【００２６】
コントローラ１３は、所定のタイミングで、メモリ内の表示データに応じたデータ（Ｄａｔａ）を陽極ドライバ１２に出力する。また、コントローラ１３は、陽極ドライバ１２に対して、クロックパルス（ＣＰ）とＬＰをタイミング信号として出力する。陽極ドライバ１２は、ＬＰを用いて、入力された１行分のＤａｔａをラッチする。
【００２７】
さらに、コントローラ１３は、陰極ドライバ１１に対して、１フレームの開始を示すＦＬＭ（ファーストラインマーカ）および駆動する陰極配線（選択行）の切替を示すＬＰ（ラッチパルス）をタイミング信号として出力する。
【００２８】
また、陽極ドライバ１２において、ＬＰの入力に応じて、既にラッチされているＤａｔａに応じて定電流回路を駆動するために電源電圧（入力電圧）Ｖｉｎが印加される。すなわち、点灯を示すＤａｔａに対応する陽極配線に接続されている定電流回路に電源電圧Ｖｉｎが印加され、消灯を示すＤａｔａに対応する陽極配線に接続されている定電流回路の入力側を接地電位Ｖｓｓにする。
【００２９】
図２のタイミング図を参照して、陰極ドライバ１１および陽極ドライバ１２の動作を説明する。コントローラ１３は、図２に示すように、１フレームの開始時に、ＦＬＭを陰極ドライバ１１に対して出力する。陰極ドライバ１１は、ＦＬＭが入力されると、第１行（図２におけるＣＯＭ１）から順に、各行すなわち各陰極配線に、選択期間において選択電圧を印加する。選択期間は、１つのＬＰが出力されてから、次のＬＰが出力するまでの期間に相当する。
【００３０】
図２に示すように、この実施の形態では、陰極ドライバ１１は、１つの選択期間において、空間的に連続して配置されている２つの陰極配線すなわち隣接している２つの陰極配線に選択電圧を印加する。つまり、１フレームにおける最初のＬＰが入力されると、第１行および第２行を選択する。２番目のＬＰが入力されると、第２行および第３行を選択する。３番目のＬＰが入力されると、第３行および第４行を選択する。以下、同様にして、（ｉ−１）番目のＬＰが入力されると、第（ｉ−１）行および第ｉ行を選択する（ここでは、ｉは５以上の整数）。なお、陰極配線数ｎが奇数の場合には、陰極ドライバ１１は、ｎ番目のＬＰが入力されると、例えば第ｎ行のみを選択する。また、第（ｉ−１）行は、第ｉ行よりも空間的に下に位置する行であるとする。
【００３１】
コントローラ１３は、陽極ドライバ１２に対してＬＰ、ＣＰおよびＤａｔａを出力する。コントローラ１３は、Ｄａｔａで、各画素のデータを１画素分ずつ陽極ドライバ１２に出力する。陽極ドライバ１２は、ＣＰによってＤａｔａを取り込むとともに、内部で、Ｄａｔａをシフトする。そして、ＬＰが入力されると、シフトされたＤａｔａをラッチし、ラッチしたＤａｔａに応じて各陽極配線（ＳＥＧ１〜ＳＥＧｍ）に接続されている各定電流回路を駆動する。なお、陰極ドライバ１１がＬＰに応じて第ｉ行目および第（ｉ＋１）行目（ここでは、ｉは１〜最終行数のいずれか）に対して選択電圧を印加するときには、陽極ドライバ１２は、その直前の選択期間において取り込んだＤａｔａにもとづいて各定電流回路を駆動する。そのデータは、第ｉ行目に表示させるべきデータである。すなわち、２つの行のうち、本来空間的に上に位置する行に表示させるべきデータにもとづいて各定電流回路を駆動する。なお、陽極ドライバ１２の動作は、従来の駆動回路における陽極ドライバ１２の動作と同じである。
【００３２】
このように、本発明では、陰極ドライバ１１は、１つのＬＰが入力される度に、２つの陰極配線を同時選択する。そして、１フレームにおいて、それぞれの陰極配線は２回選択される。なお、この実施の形態では、陰極ドライバ１１は、空間的に連続して位置する２行を同時選択する。そして、ｊ（ｊは自然数）番目のＬＰに応じて選択された２行のうちの１行は、（ｊ＋１）番目のＬＰに応じて再度選択される。なお、このように、空間的に連続して位置する２行を同時選択する場合には、陰極ドライバ１１の構成をさほど複雑にしない。
【００３３】
例えば、陰極ドライバ１１内にシフトレジスタ（段数は陰極配線数と同じ。）を設け、ＬＰをシフトクロックとしてシフトレジスタの各段のデータに応じて陰極配線を選択する構成を例にする。そのような構成では、図３に示すように、ＦＬＭの入力に応じてシフトレジスタの内容を初期化し、ＬＰの入力に応じてシフトレジスタの内容をシフトするだけで、空間的に連続して位置する２行を同時選択することができる。
【００３４】
なお、図３の説明図において、ｉ（ここでは、ｉ＝１〜ｎ）段目のデータは、ｉ番目の陰極配線に対応する。すなわち、ｉ段目のデータが「１」であることは、ｉ番目の陰極配線が選択されることを示す。また、図３に示すように、シフトレジスタの内容が初期化されると、１段目にのみ「１」が設定される。そして、１番目のＬＰが入力されたときには（図３における「ＬＰ入力１回目」）、シフトレジスタの内容がシフトされるとともに、１段目に「１」が設定される。２番目のＬＰが入力されたときには（図３における「ＬＰ入力２回目」）、シフトレジスタの内容がシフトされるとともに、１段目に「０」が設定される。以後、ＬＰが入力される度に、シフトレジスタの内容がシフトされるとともに、１段目に「０」が設定される。なお、このような陰極ドライバ１１による制御方法は一例であり、本発明における陰極ドライバ１１の制御方法は、そのような制御方法に限られない。
【００３５】
この実施の形態では、陰極ドライバ１１は、１つの選択期間において２つの陰極配線に選択電圧を印加するので、すなわち同時に２行に対する点灯制御を行うので、１行のみを選択する場合に比べて、デューティ比が大きくなる（例えば、１／１２８から１／６４へ）。換言すれば、デューティ数が小さくなる。よって、所望の輝度を得るための電流密度は小さくなる。その結果、温度が同じであっても、１行のみを選択する場合に比べて、有機ＥＬ素子を所望の輝度で発光させるための電圧が低くなる。また、同時に２つの陰極配線に電流が流れ込むので、陰極配線抵抗による電圧上昇の程度が、ほぼ１／２になる。
【００３６】
図６の特性図で示された有機ＥＬ素子を例にすると、−４０℃では１５Ｖ程度の電圧が有機ＥＬ素子に印加される必要があったのに対して、この実施の形態では、その電圧を、例えば、１３Ｖ程度に低下させることができる。また、配線抵抗等による電圧降下が４Ｖであったのに対して、この実施の形態では、例えば、２Ｖ程度に低下させることができる。すると、パネルに１３＋２＝１５Ｖを印加すればよい。陽極ドライバに印加可能な電源電圧が１８Ｖとし、電源電圧が１８Ｖであるときに陽極ドライバが定電流を出力することができる電圧を１６Ｖ（最大値）であるとすると、１５Ｖは、陽極ドライバ１２が定電流を出力することができる電圧である１６Ｖよりも低くなる。よって、有機ＥＬ素子を所望の輝度で発光させることができる。
【００３７】
なお、１行分のデータが２行に表示されることから、表示の縦方向にぼやけが生ずる可能性があるが、複数ドットの太さのパターンや自然画を表示する場合に視認性についてはその影響は小さく、パネルサイズがある程度（例えば、１２８×１２８ドット）以上の大きさである場合等には、実用的にはほぼ問題はない。
【００３８】
また、例えば＋２５℃などの比較的周囲温度が高い場合には上記の実施の形態のように制御せず、周囲温度が低下したときに、上記の実施の形態の場合のように制御することが好ましい。
【００３９】
そのような制御の切替を実現するには、図４に示すように、有機ＥＬ素子の周囲温度を検出する温度センサ１５を設け、温度センサ１５の出力を例えばコントローラ１３に入力すればよい。そのように構成した場合には、コントローラ１３から陰極ドライバ１１に対する信号線を追加し、周囲温度が低下したときに、その旨を示す信号ＴＥＭＰを陰極ドライバ１１に出力する。陰極ドライバ１１は、信号ＴＥＭＰが入力されている場合には、上記の実施の形態のように制御し、信号ＴＥＭＰが入力されていない場合すなわち比較的周囲温度が高い場合には、従来の駆動方法通り、陰極配線を１行ずつ選択する線順次選択を行う。
【００４０】
コントローラ１３は、例えば、所望の輝度を維持するために必要な有機ＥＬ素子への印加電圧が、陽極ドライバが定電流を出力することができる電圧の最大値よりも高くなってしまう温度以下を、温度センサ１５の出力が示しているときに、信号ＴＥＭＰを出力する。
【００４１】
また、上記の実施の形態では、低温下でパネルが使用される場合に表示品位を落とさないようにすることに関して説明したが、他の用途に本発明を適用することができる。一例として、一時的にパネルを高輝度表示させたい場合に適用することもできる。例えば、規定の輝度に対応する電流密度が７５０ｍＡ／ｃｍ２であるとし、１０００ｍＡ／ｃｍ２に対応した高輝度で表示させたい場合を考える。輝度の上昇に応じて有機ＥＬ素子に対して印加すべき電圧は高くなる（図６参照）。しかし、その電圧が、陽極ドライバ１２が定電流を出力することができる電圧を越える場合には、高輝度で表示させることはできない。そのような場合に、上記の実施の形態を適用し、有機ＥＬ素子に対して印加すべき電圧を実質的に下げることによって、高輝度で表示させることができるようになる。
【実施例】
【００４２】
図５は、本発明の実施例および比較例を示す説明図である。図５（Ａ）は、使用するパネルの仕様を示す。図５（Ｂ）は、実施例および比較例（従来例）における各種の値および表示品位を示す。なお、パネルの電圧−電流密度特性は図６に示されたようである。また、陽極ドライバは、上記の実施の形態で例示したものである。
【００４３】
図５（Ａ）に示すようなパネルおよび陽極ドライバを用いた場合、有機ＥＬ素子の周囲温度が２５℃である場合には、上述したように、本発明を適用しなくても、良好な表示品位を得ることができる。
【００４４】
有機ＥＬ素子の周囲温度が−４０℃である場合には、上述したように、従来の駆動方法を用いた場合には、横クロストークが生ずるなど、良好な表示品位を得ることができない。しかし、本発明を適用した場合には、上記の実施の形態で説明したように、良好な表示品位を得ることができる。
【００４５】
なお、上記の実施の形態では、図１や図４に示すように、コントローラ１３、陰極ドライバ１１および陽極ドライバ１２が独立したもの（例えば、集積回路（ＩＣ））としたが、それらの機能を実現する回路を１チップ（ワンチップ）のＩＣに集積化してもよい。
【産業上の利用可能性】
【００４６】
本発明は、例えば車載用パネルなど、低温下での視認性が求められる有機ＥＬ表示装置に対して好適に適用される。
【図面の簡単な説明】
【００４７】
【図１】駆動回路の構成を示すブロック図。
【図２】駆動回路の動作を説明するためのタイミング図。
【図３】陰極ドライバの動作を説明するための説明図。
【図４】駆動回路の変形例の構成を示すブロック図。
【図５】本発明の実施例および比較例を示す説明図。
【図６】有機ＥＬ素子の電圧−電流密度の特性図。
【符号の説明】
【００４８】
１０  有機ＥＬパネル
１１  陰極ドライバ
１２  陽極ドライバ
１３  コントローラ
１４  電源回路
１５  温度センサ
４０  ＭＰＵ
【図１】
2007094009.tif 000003
【図２】
2007094009.tif 000004
【図３】
2007094009.tif 000005
【図４】
2007094009.tif 000006
【図５】
2007094009.tif 000007
【図６】
2007094009.tif 000008